(57)【要約】【課題】この発明は、再生期限の超過したコンテンツを記録媒体から削除して記録領域の有効利用を図ることができ、しかも、ユーザがコンテンツの取得履歴を参照することができるようにして、ユーザにとっての利便性を向上させ実用に適するようにしたコンテンツ再生装置及びコンテンツ再生方法を提供することを目的としている。【解決手段】再生期限が超過していないコンテンツ（１〜Ｎ）について、そのコンテンツ管理情報（１ａ〜Ｎａ）に含まれるコンテンツ参照先を示す情報に基づいて検索したコンテンツ主情報を再生し、再生期限が超過しているコンテンツ（１〜Ｎ）について、そのコンテンツ管理情報（１ａ〜Ｎａ）を記録媒体（３６ａ）に残したまま、当該コンテンツ管理情報（１ａ〜Ｎａ）に含まれるコンテンツ参照先を示す情報に基づいて検索したコンテンツ主情報（１ｂ〜Ｎｂ）を記録媒体（３６ａ）から削除する。【選択図】      図２
2009152783.tif 000002
【特許請求の範囲】
【請求項１】
複数のコンテンツがそれぞれコンテンツ管理情報とコンテンツ主情報とに分かれて記録された記録媒体を再生するコンテンツ再生装置であって、
前記記録媒体に記録された複数のコンテンツから所定のコンテンツを選択させる選択手段と、
前記選択手段で選択されたコンテンツに対し、そのコンテンツ管理情報に含まれる再生期限と現在日時とを比較して、再生期限が超過しているか否かを判別する判別手段と、
前記判別手段により再生期限が超過していないと判断されたコンテンツについて、そのコンテンツ管理情報に含まれるコンテンツ参照先を示す情報に基づいて検索したコンテンツ主情報を再生し、前記判別手段により再生期限が超過していると判断されたコンテンツについて、そのコンテンツ管理情報を前記記録媒体に残したまま、当該コンテンツ管理情報に含まれるコンテンツ参照先を示す情報に基づいて検索したコンテンツ主情報を前記記録媒体から削除する制御手段とを具備することを特徴とするコンテンツ再生装置。
【請求項２】
複数のコンテンツがそれぞれコンテンツ管理情報とコンテンツ主情報とに分かれて記録された記録媒体を再生するコンテンツ再生装置であって、
現在の日付が更新されたとき、前記記録媒体に記録された複数のコンテンツそれぞれに対し、そのコンテンツ管理情報に含まれる再生期限と現在日時とを比較して、再生期限が超過しているか否かを判別する判別手段と、
前記判別手段により再生期限が超過していると判断されたコンテンツについて、そのコンテンツ管理情報を前記記録媒体に残したまま、当該コンテンツ管理情報に含まれるコンテンツ参照先を示す情報に基づいて検索したコンテンツ主情報を前記記録媒体から削除する制御手段とを具備することを特徴とするコンテンツ再生装置。
【請求項３】
前記制御手段は、前記判別手段により再生期限が超過していると判断されたコンテンツについて、そのコンテンツ管理情報に含まれるコンテンツ参照先を示す情報を、予め前記記録媒体に記録された所定のメッセージ情報を示すように書き替えることを特徴とする請求項１または２記載のコンテンツ再生装置。
【請求項４】
前記メッセージ情報は、前記コンテンツの再生期限が超過しているために再生できない旨を表示するための情報であることを特徴とする請求項３記載のコンテンツ再生装置。
【請求項５】
前記選択手段は、
前記記録媒体に記録されているコンテンツ管理情報を参照して、前記記録媒体に記録されている複数のコンテンツのリストを作成し表示するリスト表示手段と、
前記リスト表示手段で表示されたリストから所望のコンテンツを選択させるための操作手段とを備えることを特徴とする請求項１記載のコンテンツ再生装置。
【請求項６】
複数のコンテンツがそれぞれコンテンツ管理情報とコンテンツ主情報とに分かれて記録された記録媒体を再生するコンテンツ再生方法であって、
前記記録媒体に記録された複数のコンテンツから所定のコンテンツを選択する工程と、
選択されたコンテンツに対し、そのコンテンツ管理情報に含まれる再生期限と現在日時とを比較して、再生期限が超過しているか否かを判別する工程と、
再生期限が超過していないと判断されたコンテンツについて、そのコンテンツ管理情報に含まれるコンテンツ参照先を示す情報に基づいて検索したコンテンツ主情報を再生する工程と、
再生期限が超過していると判断されたコンテンツについて、そのコンテンツ管理情報を前記記録媒体に残したまま、当該コンテンツ管理情報に含まれるコンテンツ参照先を示す情報に基づいて検索したコンテンツ主情報を前記記録媒体から削除する工程とを具備することを特徴とするコンテンツ再生方法。
【請求項７】
複数のコンテンツがそれぞれコンテンツ管理情報とコンテンツ主情報とに分かれて記録された記録媒体を再生するコンテンツ再生方法であって、
日付が更新されたとき、前記記録媒体に記録された複数のコンテンツそれぞれに対し、そのコンテンツ管理情報に含まれる再生期限と現在日時とを比較して、再生期限が超過しているか否かを判別する工程と、
再生期限が超過していると判断されたコンテンツについて、そのコンテンツ管理情報を前記記録媒体に残したまま、当該コンテンツ管理情報に含まれるコンテンツ参照先を示す情報に基づいて検索したコンテンツ主情報を前記記録媒体から削除する工程とを具備することを特徴とするコンテンツ再生方法。
【請求項８】
再生期限が超過していると判断されたコンテンツについて、そのコンテンツ管理情報に含まれるコンテンツ参照先を示す情報を、予め前記記録媒体に記録された所定のメッセージ情報を示すように書き替える工程を備えることを特徴とする請求項６または７記載のコンテンツ再生方法。
【発明の詳細な説明】
【技術分野】
【０００１】
この発明は、再生期限付きで記録されたコンテンツを再生するコンテンツ再生装置及びコンテンツ再生方法に関する。
【背景技術】
【０００２】
周知のように、近年では、デジタル放送やネットワーク回線等を利用して、コンテンツ配信事業者から再生期限付きでコンテンツを購入するようにしたコンテンツ配信システムが普及している。この種のコンテンツ配信システムでは、購入したコンテンツを、例えばＨＤＤ（hard disk drive）等の記録再生装置に記録し、再生期限内に限りハードディスクからの再生を許可して視聴に供させるようにしている。
【０００３】
ところで、このように再生期限付きのコンテンツを記録再生装置に記録した場合には、再生期限を超過したコンテンツの取り扱いが重要となる。すなわち、再生期限の切れたコンテンツは、記録媒体から削除すれば記録媒体の空き容量を増やすことができる。一方、コンテンツを記録媒体から削除すると、コンテンツの購入履歴が参照できなくなるため、ユーザにとっての利便性を損なうものとなる。
【０００４】
特許文献１には、ビデオサーバからインターネットを経由してダウンロードされた指定ビデオ情報が、その再生を許可する期限と共にハードディスクに記録されており、ユーザの再生操作があったとき、指定ビデオ情報の期限が経過していて、かつ、ユーザによる期限の延長操作がなければ、その指定ビデオ情報をハードディスクから消去することが開示されている。
【特許文献１】特開２００３−０１８５３５号公報
【発明の開示】
【発明が解決しようとする課題】
【０００５】
そこで、この発明は上記事情を考慮してなされたもので、再生期限の超過したコンテンツを記録媒体から削除して記録領域の有効利用を図ることができ、しかも、ユーザがコンテンツの取得履歴を参照することができるようにして、ユーザにとっての利便性を向上させ実用に適するようにしたコンテンツ再生装置及びコンテンツ再生方法を提供することを目的とする。
【課題を解決するための手段】
【０００６】
すなわち、この発明に係るコンテンツ再生装置は、複数のコンテンツがそれぞれコンテンツ管理情報とコンテンツ主情報とに分かれて記録された記録媒体を再生するものを対象としている。そして、記録媒体に記録された複数のコンテンツから所定のコンテンツを選択させる選択手段と、選択手段で選択されたコンテンツに対し、そのコンテンツ管理情報に含まれる再生期限と現在日時とを比較して、再生期限が超過しているか否かを判別する判別手段と、判別手段により再生期限が超過していないと判断されたコンテンツについて、そのコンテンツ管理情報に含まれるコンテンツ参照先を示す情報に基づいて検索したコンテンツ主情報を再生し、判別手段により再生期限が超過していると判断されたコンテンツについて、そのコンテンツ管理情報を記録媒体に残したまま、当該コンテンツ管理情報に含まれるコンテンツ参照先を示す情報に基づいて検索したコンテンツ主情報を記録媒体から削除する制御手段とを備えるようにしたものである。
【０００７】
また、この発明に係るコンテンツ再生方法は、複数のコンテンツがそれぞれコンテンツ管理情報とコンテンツ主情報とに分かれて記録された記録媒体を再生する方法を対象としている。そして、記録媒体に記録された複数のコンテンツから所定のコンテンツを選択する工程と、選択されたコンテンツに対し、そのコンテンツ管理情報に含まれる再生期限と現在日時とを比較して、再生期限が超過しているか否かを判別する工程と、再生期限が超過していないと判断されたコンテンツについて、そのコンテンツ管理情報に含まれるコンテンツ参照先を示す情報に基づいて検索したコンテンツ主情報を再生する工程と、再生期限が超過していると判断されたコンテンツについて、そのコンテンツ管理情報を記録媒体に残したまま、当該コンテンツ管理情報に含まれるコンテンツ参照先を示す情報に基づいて検索したコンテンツ主情報を記録媒体から削除する工程とを備えるようにしたものである。
【発明の効果】
【０００８】
上記した発明によれば、再生期限が超過していると判断されたコンテンツについて、そのコンテンツ管理情報を記録媒体に残したまま、当該コンテンツ管理情報に含まれるコンテンツ参照先を示す情報に基づいて検索したコンテンツ主情報を記録媒体から削除するようにしたので、再生期限の超過したコンテンツを記録媒体から削除して記録領域の有効利用を図ることができ、しかも、ユーザがコンテンツの取得履歴を参照することができるようになり、ユーザにとっての利便性を向上させ実用に適するようになる。
【発明を実施するための最良の形態】
【０００９】
以下、この発明の実施の形態について図面を参照して詳細に説明する。図１は、この実施の形態で説明するデジタル放送受信装置１１の主要な信号処理系を示している。このデジタル放送受信装置１１は、デジタル放送やネットワーク回線等を利用して、コンテンツ配信事業者から再生期限付きのコンテンツを取得して記録する機能を備えている。
【００１０】
すなわち、ＢＳ（broadcasting satellite）／ＣＳ（communication satellite）デジタル放送受信用のアンテナ１２で受信した衛星デジタル放送信号は、入力端子１３を介して衛星デジタル放送用のチューナ部１４に供給されることにより、所望のチャンネルの放送信号が選局される。
【００１１】
そして、このチューナ部１４で選局された放送信号は、ＰＳＫ（phase shift keying）復調器１５に供給されてＴＳ（transport stream）が復調される。このＴＳは、ＴＳ処理部１６に供給されてデジタルの映像信号及び音声信号等に復号化された後、信号処理部１７に出力される。
【００１２】
また、地上波放送受信用のアンテナ１８で受信した地上デジタル放送信号は、入力端子１９を介して地上デジタル放送用のチューナ部２０に供給されることによって、所望のチャンネルの放送信号が選局される。
【００１３】
そして、このチューナ部２０で選局された放送信号は、ＯＦＤＭ（orthogonal frequency division multiplexing）復調器２１に供給されてＴＳが復調される。このＴＳは、上記ＴＳ処理部１６に供給されてデジタルの映像信号及び音声信号に復号化された後、上記信号処理部１７に出力される。
【００１４】
また、上記地上波放送受信用のアンテナ１８で受信した地上アナログ放送信号は、入力端子１９を介して地上アナログ放送用のチューナ部２２に供給されることにより、所望のチャンネルの放送信号が選局される。そして、このチューナ部２２で選局された放送信号は、アナログ復調器２３に供給されてアナログの映像信号及び音声信号に復調された後、上記信号処理部１７に出力される。
【００１５】
ここで、上記信号処理部１７は、ＴＳ処理部１６から供給されたデジタルの映像信号及び音声信号に対して所定のデジタル信号処理を施し、グラフィック処理部２４及び音声処理部２５に出力している。また、この信号処理部１７は、上記アナログ復調器２３から供給されたアナログの映像信号及び音声信号をデジタル化し、そのデジタル化された映像信号及び音声信号に対して所定のデジタル信号処理を施した後、グラフィック処理部２４及び音声処理部２５に出力している。
【００１６】
このうち、グラフィック処理部２４は、信号処理部１７から供給されるデジタルの映像信号に、ＯＳＤ（on screen display）信号生成部２６で生成されるＯＳＤ信号を重畳して出力する機能を有する。また、このグラフィック処理部２４は、信号処理部１７の出力映像信号と、ＯＳＤ信号生成部２６の出力ＯＳＤ信号とを選択的に出力することや、両出力をそれぞれ画面の半分を構成するように組み合わせて出力することができる。
【００１７】
そして、グラフィック処理部２４から出力されたデジタルの映像信号は、映像処理部２７に供給される。この映像処理部２７は、入力されたデジタルの映像信号を、映像表示器２８で表示可能なフォーマットのアナログ映像信号に変換した後、映像表示器２８に出力して映像表示させるとともに、出力端子２９を介して外部に導出させる。
【００１８】
また、上記音声処理部２５は、入力されたデジタルの音声信号を、前記スピーカ３０で再生可能なフォーマットのアナログ音声信号に変換した後、スピーカ３０に出力して音声再生させるとともに、出力端子３１を介して外部に導出させる。
【００１９】
ここで、このデジタル放送受信装置１１は、上記した各種の受信動作を含むその全ての動作を制御部３２によって統括的に制御されている。この制御部３２は、ＣＰＵ（central processing unit）３２ａを内蔵しており、デジタル放送受信装置１１の本体に設置された操作部３３からの操作情報、または、リモートコントローラ３４から送出され受信部３５で受信した操作情報を受けて、その操作内容が反映されるように各部をそれぞれ制御している。
【００２０】
この場合、制御部３２は、メモリ部３２ｂを利用している。このメモリ部３２ｂは、主として、ＣＰＵ３２ａが実行する制御プログラムを格納したＲＯＭ（read only memory）と、該ＣＰＵ３２ａに作業エリアを提供するためのＲＡＭ（random access memory）と、各種の設定情報及び制御情報等が格納される不揮発性メモリとを有している。
【００２１】
また、この制御部３２には、ＨＤＤ３６が接続されている。この制御部３２は、ユーザによる操作部３３またはリモートコントローラ３４の操作、または、ＣＰＵ３２ａが実行する制御プログラムの指示に基づいて、上記ＴＳ処理部１６から得られるＭＰＥＧ（moving picture experts group）２−ＴＳのデジタル信号を、暗号化器・復号化器３７によって暗号化した後、ＨＤＤ３６に供給してハードディスク３６ａに記録させるように制御することができる。
【００２２】
さらに、この制御部３２は、ユーザによる操作部３３またはリモートコントローラ３４の操作、または、ＣＰＵ３２ａが実行する制御プログラムの指示に基づいて、上記アナログ復調器２３から得られるアナログの映像信号及び音声信号をエンコーダ３８によりＭＰＥＧ２−ＴＳに変換し、上記暗号化器・復号化器３７によって暗号化した後、ＨＤＤ３６に供給してハードディスク３６ａに記録させるように制御することができる。
【００２３】
また、この制御部３２は、ユーザによる操作部３５またはリモートコントローラ３６の操作、または、ＣＰＵ３２ａが実行する制御プログラムの指示に基づいて、ＨＤＤ３６によりハードディスク３６ａからＭＰＥＧ２−ＴＳを読み出させ、上記暗号化器・復号化器３７によって復号化した後、ＴＳ処理部１６に供給することによって、以後、上記した映像表示及び音声再生に供させるように制御することができる。
【００２４】
さらに、この制御部３２には、デジタル送受信部３９が接続されている。このデジタル送受信部３９は、デジタルインターフェース機能を持つもので、入出力端子４０を介してインターネット等のネットワーク回線に接続されることにより、制御部３２とネットワーク回線との相互間でのデータ通信を可能にしている。
【００２５】
これにより、この制御部３２は、デジタル送受信部３９及び入出力端子４０を介してネットワーク回線上のコンテンツ配信事業者にアクセスし、再生期限付きのコンテンツを購入して取得することが可能となる。この取得した再生期限付きのコンテンツは、ＨＤＤ３６によりハードディスク３６ａに記録された後、再生期限内であれば、ハードディスク３６ａから再生させて映像表示や音声再生に供させることができる。
【００２６】
なお、この再生期限付きのコンテンツとしては、上記したデジタル放送を利用して購入し取得することも可能である。そして、デジタル放送を受信して取得した再生期限付きのコンテンツも、ＨＤＤ３６によりハードディスク３６ａに記録された後、その再生期限内であれば、ハードディスク３６ａから再生させて映像表示や音声再生に供させることができる。
【００２７】
また、上記制御部３２は、現在日時を計測するためのタイマ部３２ｃと、ユーザの操作に応じてハードディスク３６ａに記録されたコンテンツのリストを映像表示器２８に表示させるためのコンテンツリスト表示部３２ｄと、ハードディスク３６ａに記録されているコンテンツに対して再生が要求されたとき、その再生期限に応じた後述する処理を施すコンテンツ再生制御部３６ｅとを備えている。
【００２８】
図２は、上記ハードディスク３６ａ上におけるコンテンツの記録形態を示している。すなわち、今、ハードディスク３６ａ上に、コンテンツ１，コンテンツ２，コンテンツ３，……，コンテンツＮなる、Ｎ個のコンテンツが記録されているとする。これらのコンテンツ１〜Ｎは、それぞれが、コンテンツ管理情報１ａ〜Ｎａとコンテンツ主情報１ｂ〜Ｎｂとに分かれて記録されている。
【００２９】
このうち、コンテンツ管理情報１ａ〜Ｎａには、例えば、コンテンツタイプ、コンテンツタイトル、コンテンツ総時間、コンテンツ参照先、記録日時、再生期限等を示す各種の管理情報が格納されている。そして、上記コンテンツ参照先は、そのコンテンツ管理情報１ａ〜Ｎａによって参照されるコンテンツ主情報１ｂ〜Ｎｂを示している。例えば、コンテンツ管理情報１ａのコンテンツ参照先は、コンテンツ主情報１ｂを示している。
【００３０】
また、上記コンテンツ主情報１ｂ〜Ｎｂには、映像や音声等に対応するストリームが、例えば、ＭＰＥＧ２、ＭＰＥＧ４、ＪＰＥＧ（joint photographic experts group）、ＷＭＶ［windows（登録商標）media video］、ビットマップ、ＡＶＣ−１等に対応した各種の形態で格納されている。
【００３１】
さらに、上記ハードディスク３６ａには、メッセージ情報Ｍが記録されている。このメッセージ情報Ｍは、例えば、「このコンテンツは、再生期限が切れているため、再生できません。」というようなメッセージを映像表示器２８に表示させるための情報である。
【００３２】
ここで、ユーザが上記操作部３３またはリモートコントローラ３４を操作して、ハードディスク３６ａに記録されているコンテンツ１〜Ｎのリスト表示を要求した場合、制御部３２のコンテンツリスト表示部３２ｄは、ハードディスク３６ａに記録されているコンテンツ管理情報１ａ〜Ｎａを参照することにより、図３に示すように、ハードディスク３６ａに記録されている全コンテンツ１〜Ｎのコンテンツタイトルを、映像表示器２８にリスト表示させる。
【００３３】
そして、ユーザが、映像表示器２８にリスト表示されたコンテンツタイトルの中から所望のコンテンツタイトルを指定したとき、制御部３２のコンテンツ再生制御部３２ｅは、指定されたコンテンツタイトルに対応するコンテンツを、その再生期限に応じて再生または非再生状態に制御させる。
【００３４】
なお、コンテンツタイトルの指定は、ユーザがリモートコントローラ３４の上下キーを操作し、リスト画面上でカーソルを移動させることにより所望のコンテンツを選択した上で、決定キーを操作することで行なわれる。
【００３５】
すなわち、コンテンツタイトルが指定されると、コンテンツ再生制御部３２ｅは、指定されたコンテンツタイトルが含まれるコンテンツ管理情報１ａ〜Ｎａを参照して、そのコンテンツ管理情報１ａ〜Ｎａに含まれる再生期限を調べる。そして、再生期限が超過していない場合、コンテンツ再生制御部３２ｅは、指定されたコンテンツタイトルが含まれるコンテンツ管理情報１ａ〜Ｎａからコンテンツ参照先を調べる。その後、コンテンツ再生制御部３２ｅは、調べたコンテンツ参照先が指示するコンテンツ主情報１ｂ〜Ｎｂを検索し、その検索したコンテンツ主情報１ｂ〜Ｎｂを再生して視聴に供させている。
【００３６】
例えば、コンテンツタイトルのリスト画面上で、コンテンツ１に対応するコンテンツタイトルが指定されると、コンテンツ再生制御部３２ｅは、コンテンツ１のコンテンツ管理情報１ａに含まれる再生期限から、再生期限が切れているか否かを判別し、再生期限が切れていない場合、コンテンツ１のコンテンツ管理情報１ａに含まれるコンテンツ参照先に基づいてコンテンツ主情報１ｂを検索し、その検索したコンテンツ主情報１ｂを再生して視聴に供させている。
【００３７】
一方、コンテンツタイトルのリスト画面上で指定されたコンテンツタイトルが含まれるコンテンツ管理情報１ａ〜Ｎａを参照して、そのコンテンツ管理情報１ａ〜Ｎａに含まれる再生期限を調べた結果、再生期限が超過している場合、上記コンテンツ再生制御部３２ｅは、指定されたコンテンツタイトルが含まれるコンテンツ管理情報１ａ〜Ｎａからコンテンツ参照先を調べる。
【００３８】
その後、コンテンツ再生制御部３２ｅは、調べたコンテンツ参照先が指示するコンテンツ主情報１ｂ〜Ｎｂを、それに対応するコンテンツ管理情報１ａ〜Ｎａを残してハードディスク３６ａから削除する。また、コンテンツ再生制御部３２ｅは、指定されたコンテンツタイトルが含まれるコンテンツ管理情報１ａ〜Ｎａのコンテンツ参照先を、上記メッセージ情報Ｍに書き替える。これにより、メッセージ情報Ｍの内容が映像表示器２８に表示されるようになる。
【００３９】
例えば、コンテンツタイトルのリスト画面上で、コンテンツ３に対応するコンテンツタイトルが指定されると、コンテンツ再生制御部３２ｅは、コンテンツ３のコンテンツ管理情報３ａに含まれる再生期限から、再生期限が切れているか否かを判別し、再生期限が切れている場合、図４に示すように、コンテンツ３のコンテンツ主情報３ｂをハードディスク３６ａ上から削除する。この場合、コンテンツ３のコンテンツ管理情報３ａは、ハードディスク３６ａ上に残したままとする。
【００４０】
また、コンテンツ再生制御部３２ｅは、指定されたコンテンツタイトルが含まれるコンテンツ管理情報３ａのコンテンツ参照先を、メッセージ情報Ｍを示すように書き替える。これにより、コンテンツ主情報３ｂに代えてメッセージ情報Ｍが再生されることになり、図５に示すように、映像表示器２８に「このコンテンツは、再生期限が切れているため、再生できません。」というメッセージが表示される。
【００４１】
上記した実施の形態によれば、再生期限が超過しているコンテンツに対しては、そのコンテンツ管理情報１ａ〜Ｎａを残してコンテンツ主情報１ｂ〜Ｎｂをハードディスク３６ａ上から削除するようにしているため、ハードディスク３６ａの空き容量を増やすことができ、ハードディスク３６ａの記録容量の有効利用を図ることができる。
【００４２】
また、再生期限が超過しているコンテンツに対しても、そのコンテンツ管理情報１ａ〜Ｎａはハードディスク３６ａ上に残しておくようにしたので、ハードディスク３６ａに記録されているコンテンツのリスト表示が要求された場合に、再生期限が超過しているコンテンツのコンテンツタイトルもリストに表示されるようになるため、ユーザがコンテンツの取得履歴を容易に参照することができるようになり、ユーザにとっての利便性を向上させ実用に適するものとなる。
【００４３】
さらに、再生期限が超過しているコンテンツのコンテンツタイトルがリスト上で指定された場合には、そのコンテンツが再生期限切れのため再生できない旨を示すメッセージ情報Ｍを再生させて、ユーザに再生できない旨を知らせるようにしたので、このような点でも、ユーザにとっての利便性を向上させ実用に適するものとすることができる。
【００４４】
図６は、上記したコンテンツ再生制御部３２ｅによりコンテンツを再生期限に応じて再生または非再生状態に制御する処理動作をまとめたフローチャートを示している。この処理は、コンテンツタイトルが映像表示器２８にリスト表示されることにより、開始（ステップＳ１）される。
【００４５】
すると、上記コンテンツ再生制御部３２ｅは、ステップＳ２で、リスト上からいずれかのコンテンツタイトルが指定されたか否かを判別し、指定されたと判断された場合（ＹＥＳ）、ステップＳ３で、その指定されたコンテンツタイトルが含まれるコンテンツ管理情報１ａ〜Ｎａ内の再生期限と現在の日時とを比較し、再生期限が超過しているか否かを判別する。
【００４６】
そして、再生期限が超過していると判断された場合（ＹＥＳ）、コンテンツ再生制御部３２ｅは、ステップＳ４で、その指定されたコンテンツタイトルが含まれるコンテンツ管理情報１ａ〜Ｎａからコンテンツ参照先を調べ、調べたコンテンツ参照先が指示するコンテンツ主情報１ｂ〜Ｎｂを、それに対応するコンテンツ管理情報１ａ〜Ｎａを残してハードディスク３６ａから削除する。
【００４７】
その後、コンテンツ再生制御部３２ｅは、ステップＳ５で、その指定されたコンテンツタイトルが含まれるコンテンツ管理情報１ａ〜Ｎａ内のコンテンツ参照先を、メッセージ情報Ｍを示すように書き替える。
【００４８】
そして、このステップＳ５の後、または、上記ステップＳ３で再生期限が超過していないと判断された場合（ＮＯ）、コンテンツ再生制御部３２ｅは、ステップＳ６で、その指定されたコンテンツタイトルが含まれるコンテンツ管理情報１ａ〜Ｎａ内のコンテンツ参照先が示す情報（コンテンツ主情報１ｂ〜Ｎｂまたはメッセージ情報Ｍ）を再生して、処理を終了（ステップＳ７）する。
【００４９】
図７は、上記コンテンツ再生制御部３２ｅによりコンテンツを再生期限に応じて再生または非再生状態に制御する処理動作の他の例をまとめたフローチャートを示している。この処理が開始（ステップＳ８）されると、コンテンツ再生制御部３２ｅは、ステップＳ９で、現在の日付が更新されたか否かを判別し、更新されたと判断された場合（ＹＥＳ）、ステップＳ１０で、ハードディスク３６ａに記録されているコンテンツ管理情報１ａ〜Ｎａの中から、予め設定された順序に基づいて１つのコンテンツ管理情報１ａ〜Ｎａを選択する。
【００５０】
次に、コンテンツ再生制御部３２ｅは、ステップＳ１１で、選択されたコンテンツ管理情報１ａ〜Ｎａ内の再生期限と現在の日時とを比較して、再生期限が超過しているか否かを判別する。そして、再生期限が超過していると判断された場合（ＹＥＳ）、コンテンツ再生制御部３２ｅは、ステップＳ１２で、その選択されたコンテンツ管理情報１ａ〜Ｎａからコンテンツ参照先を調べ、調べたコンテンツ参照先が指示するコンテンツ主情報１ｂ〜Ｎｂを、それに対応するコンテンツ管理情報１ａ〜Ｎａを残してハードディスク３６ａから削除する。
【００５１】
その後、コンテンツ再生制御部３２ｅは、ステップＳ１３で、その選択されたコンテンツ管理情報１ａ〜Ｎａ内のコンテンツ参照先を、メッセージ情報Ｍを示すように書き替える。
【００５２】
そして、このステップＳ１３の後、または、上記ステップＳ１１で再生期限が超過していないと判断された場合（ＮＯ）、コンテンツ再生制御部３２ｅは、ステップＳ１４で、ハードディスク３６ａに記録されている全てのコンテンツ管理情報１ａ〜Ｎａについて、ステップＳ１１〜Ｓ１３の処理が完了したか否かを判別し、完了していないと判断された場合（ＮＯ）、ステップＳ１０の処理に戻されて次のコンテンツ管理情報１ａ〜Ｎａの選択を実行し、完了したと判断された場合（ＹＥＳ）には、そのまま処理を終了（ステップＳ１５）する。
【００５３】
図７に示した処理動作によれば、日付が更新されたとき、自動的にハードディスク３６ａに記録されている全てのコンテンツ管理情報１ａ〜Ｎａについて再生期限が切れているか否かを判別し、再生期限が切れている場合には、そのコンテンツ管理情報１ａ〜Ｎａを残してコンテンツ主情報１ｂ〜Ｎｂを削除し、コンテンツ参照先がメッセージ情報Ｍを示すように書き替えるようにしている。
【００５４】
このように、日付が更新されたタイミングで、再生期限が切れた場合の処理を予め行なっておくことにより、コンテンツの再生が要求されたときの処理が速やかになり、ユーザにとっての利便性を向上させ実用に適するものとすることができる。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５６】
【図１】この発明の実施の形態を示すもので、デジタル放送受信装置の信号処理系を説明するために示すブロック構成図。
【図２】同実施の形態におけるデジタル放送受信装置によりハードディスクに記録されたコンテンツの記録形態を説明するために示す図。
【図３】同実施の形態におけるデジタル放送受信装置により表示されるコンテンツタイトルリストの一例を説明するために示す図。
【図４】同実施の形態におけるデジタル放送受信装置によりハードディスクに記録されたコンテンツの再生期限切れに対する処理後の記録形態を説明するために示す図。
【図５】同実施の形態におけるデジタル放送受信装置により表示されるメッセージの一例を説明するために示す図。
【図６】同実施の形態におけるデジタル放送受信装置が行なう処理動作を説明するために示すフローチャート。
【図７】同実施の形態におけるデジタル放送受信装置が行なう処理動作の他の例を説明するために示すフローチャート。
【符号の説明】
【００５７】
１１…デジタル放送受信装置、１２…アンテナ、１３…入力端子、１４…チューナ部、１５…ＰＳＫ復調器、１６…ＴＳ処理部、１７…信号処理部、１８…アンテナ、１９…入力端子、２０…チューナ部、２１…ＯＦＤＭ復調器、２２…チューナ部、２３…アナログ復調器、２４…グラフィック処理部、２５…音声処理部、２６…ＯＳＤ信号生成部、２７…映像処理部、２８…映像表示器、２９…出力端子、３０…スピーカ、３１…出力端子、３２…制御部、３２ａ…ＣＰＵ、３２ｂ…メモリ部、３２ｃ…タイマ部、３２ｄ…コンテンツリスト表示部、３２ｅ…コンテンツ再生制御部、３３…操作部、３４…リモートコントローラ、３５…受信部、３６…ＨＤＤ、３６ａ…ハードディスク、３７…暗号化器・復号化器、３８…エンコーダ、３９…デジタル送受信部、４０…入出力端子、１〜Ｎ…コンテンツ、１ａ〜Ｎａ…コンテンツ管理情報、１ｂ〜Ｎｂ…コンテンツ主情報、Ｍ…メッセージ情報。
【図１】
2009152783.tif 000003
【図２】
2009152783.tif 000004
【図３】
2009152783.tif 000005
【図４】
2009152783.tif 000006
【図５】
2009152783.tif 000007
【図６】
2009152783.tif 000008
【図７】
2009152783.tif 000009